(57)【要約】【課題】無線通信機能付端末を用いた広告、クーポン、コンテンツ等の配信により購買意欲を促す無線通信広告システム等を提供する。【解決手段】ポスター等の無線通信機能付広告８にデータ配信装置９を設置し、常に携帯電話１１、無線通信機能付端末１２のような無線通信機能を持つ携帯端末に対して接続要求を出す。ユーザが、携帯電話１１あるいは無線通信機能付端末１２で無線通信機能付広告８を探すというメニューを選択すると、データ配信装置９に接続し、データ配信装置９は取得可能な広告データに関するデータを携帯電話１１、無線通信機能付端末１２に送る。ユーザは、データ配信装置９から受信した複数の広告データから興味のある広告を選択することにより、携帯電話１１、無線通信機能付端末１２に広告データ、クーポン情報、コンテンツをダウンロードすることができる。【選択図】図１
2007274276.tif 000002
【特許請求の範囲】
【請求項１】
サーバと、データ配信装置がネットワーク接続された無線通信広告システムであって、
前記サーバは、
前記データ配信装置に広告データ、クーポン情報、コンテンツのいずれかを含むデータを送信する手段を有し、
前記データ配信装置は、
前記無線通信機能により携帯端末を認識する手段と、
認識された前記携帯端末に前記データの内容を示す一覧を送信する手段と、
を有し、
前記携帯端末は、送られてくる前記一覧から所定のデータを選択することを前記データ配信装置に指示する手段を有し、
前記データ配信装置は、前記携帯端末に所定のデータを送信する手段を有することを特徴とする無線通信広告システム。
【請求項２】
コンピュータを、請求項１記載のデータ配信装置として機能させることを特徴とするプログラム。
【発明の詳細な説明】
【技術分野】
【０００１】
本発明は、無線通信機能付端末を用いた広告、クーポン、コンテンツ等の配信により購買意欲を促す無線通信広告システム等に関する。
【背景技術】
【０００２】
従来より、携帯電話等の携帯端末で小売店、飲食店等の店舗のクーポンを取得するには、紙媒体等に印刷されたＱＲコードのような二次元コードを読み取ってＷｅｂサイトにアクセスするか、あるいは、キーパッド等からＷｅｂサイトのＵＲＬ（Uniform Resource Locator）を直接入力することによりＷｅｂサイトにアクセスしていた。（特許文献１参照）
【０００３】
【特許文献１】特開２００４−２８７９２４号公報
【発明の開示】
【発明が解決しようとする課題】
【０００４】
しかしながら、前記の方法では、クーポンを取得するために携帯端末からＷｅｂサイトにアクセスする必要があり、そのための通信費が発生していた。また、Ｗｅｂサイトへのアクセスが集中したり、電波状態が悪い場合に通信が中断され、再び通信しなければならないということもあった。
【０００５】
本発明は、このような問題に鑑みてなされたもので、その目的とするところは無線通信機能付端末を用いた広告、クーポン、コンテンツ等の配信により購買意欲を促す無線通信広告システム等を提供することにある。
【課題を解決するための手段】
【０００６】
前述した目的を達成するために第１の発明は、サーバと、データ配信装置がネットワーク接続された無線通信広告システムであって、前記サーバは、前記データ配信装置に広告データ、クーポン情報、コンテンツのいずれかを含むデータを送信する手段を有し、前記データ配信装置は、前記無線通信機能により携帯端末を認識する手段と、認識された前記携帯端末に前記データの内容を示す一覧を送信する手段と、を有し、前記携帯端末は、送られてくる前記一覧から所定のデータを選択することを前記データ配信装置に指示する手段を有し、前記データ配信装置は、前記携帯端末に所定のデータを送信する手段を有することを特徴とする無線通信広告システムである。
【０００７】
ポスター等の無線通信機能付広告にデータ配信装置を設置し、常に無線通信機能を持つ携帯端末に対して接続要求を出す。ユーザが、無線通信機能付携帯端末で無線通信機能付広告を探すというメニューを選択すると、データ配信装置に接続し、データ配信装置は取得可能な広告データに関するデータを無線通信機能付携帯端末に送る。ユーザは、データ配信装置から受信した複数の広告データから興味のある広告を選択することにより、無線通信機能付形態端末に広告データ、クーポン情報、コンテンツをダウンロードすることができる。
【０００８】
第２の発明は、コンピュータを、第１の発明のデータ配信装置として機能させることを特徴とするプログラムである。
【発明の効果】
【０００９】
本発明によれば、無線通信機能付端末を用いた広告、クーポン、コンテンツ等の配信により購買意欲を促す無線通信広告システム等を提供することができる。
【発明を実施するための最良の形態】
【００１０】
以下、添付図面を参照しながら、本発明の実施形態に係る無線通信広告システム等の好適な実施形態について詳細に説明する。
【００１１】
最初に、図１を参照しながら、本実施の形態に係る無線通信広告システム１の構成について説明する。
図１は、無線通信広告システム１の構成を示すブロック図である。
【００１２】
無線通信広告システム１は、広告主端末３、コンテンツサーバ５、データ配信装置９がネットワーク１９を介して接続される。ネットワーク１９は、インターネット等のネットワークである。
【００１３】
広告主端末３はパーソナルコンピュータ等で、小売店、飲食店等の会社に設置され、ユーザに対して発行するクーポン、コンテンツ等をコンテンツサーバ５に登録する。
【００１４】
コンテンツサーバ５は、ネットワーク１９を介してデータ配信装置９に対しクーポン情報、コンテンツ等を送信するコンピュータで、広告主端末３と同じ会社内に設置してもよいし、あるいは、クーポン及びコンテンツ配信を専門に行う会社に設置してもよい。
コンテンツサーバ５は、配信するクーポン情報、コンテンツ等を含むコンテンツデータベース７を有する。
【００１５】
データ配信装置９は、鉄道の駅あるいは街中のポスター等の広告に設置されるポスター等の無線通信機能付広告８に設置されるもので、赤外線通信のような無線通信機能を有する。データ配信装置９は、無線通信機能を持つ携帯電話１１や無線通信機能付端末１２を検知し、無線通信により通信を行い、クーポン情報、コンテンツ等を配信する。
【００１６】
無線通信機能付端末１２は、無線通信機能を持つ小型ゲーム機、パーソナルコンピュータ等である。
携帯電話１１、無線通信機能付端末１２は、無線通信によりデータ配信装置９からクーポン情報、コンテンツを取得する。データ配信装置９から配信されるコンテンツは、画像、映像、音楽、雑誌などの本類の１ページ等である。
携帯電話１１、無線通信機能付端末１２が取得したクーポンは商品の割引、無料サービス等を提供するもので、指定された店舗で使用可能である。
【００１７】
図２は、広告主端末３のハードウエア構成の一例を示す図である。広告主端末３は、バス２８により相互接続された制御部２１、記憶装置２２、メディア入出力部２３、入力部２４、印刷部２５、表示部２６、通信部２７等を有する。
【００１８】
制御部２１は、プログラムの実行を行うＣＰＵ(central
processing unit)と、プログラム命令あるいはデータ等を格納するためのＲＯＭ(read only memory)、ＲＡＭ(random access memory)等のメモリから構成される。制御部２１は、広告主端末３全体の動作を制御する。
【００１９】
記憶装置２２は、広告主端末３の制御プログラム等の固定データ、各種ファイル等を格納するための記憶媒体である。
メディア入出力部２３は、ＣＤ−ＲＯＭ(compact
disc read only memory)あるいはＣＤ−ＲＷ(CD-ReWritable)、フレキシブルディスク、ＭＯ(magneto optic disc)、スマートメディア、コンパクトフラッシュ（登録商標）、ミニＳＤ(secure digital)カード、ＳＤメモリカード、メモリスティック、ｘＤピクチャーカード、コンパクトディスク等の媒体のドライブで、媒体からのデータの読み出しや、媒体へのデータの書き込みを行う。
【００２０】
入力部２４は、キーボード、マウス等の入力装置である。
印刷部２５はプリンタで、ユーザからの要求により必要な情報等の印刷を行う。
表示部２６は、ＣＲＴ(cathode-ray
tube)あるいはＬＣＤ(liquid crystal
display)等の表示装置である。
通信部２７は、通信制御装置、通信ポート等であり、ネットワーク１９を介したコンテンツサーバ５等との通信を制御する。
【００２１】
図３は、コンテンツサーバ５のハードウエア構成の一例を示す図である。コンテンツサーバ５は、バス３８により相互接続された制御部３１、記憶装置３２、メディア入出力部３３、入力部３４、印刷部３５、表示部３６、通信部３７等を有する。
【００２２】
制御部３１は、プログラムの実行を行うＣＰＵと、プログラム命令あるいはデータ等を格納するためのＲＯＭ、ＲＡＭ等のメモリから構成される。制御部３１は、コンテンツサーバ５全体の動作を制御する。
【００２３】
記憶装置３２は、コンテンツサーバ５の制御プログラム等の固定データ、各種データ等を格納するための記憶媒体である。
メディア入出力部３３は、ＣＤ−ＲＯＭあるいはＣＤ−ＲＷ、フレキシブルディスク、ＭＯ等の媒体のドライブで、媒体からのデータの読み出しや、媒体へのデータの書き込みを行う。
【００２４】
入力部３４は、キーボード、マウス等の入力装置である。
印刷部３５はプリンタで、ユーザからの要求により必要な情報等の印刷を行う。
表示部３６は、ＣＲＴあるいはＬＣＤ等の表示装置である。
【００２５】
通信部３７は、通信制御装置、通信ポート等であり、ネットワーク１９を介した広告主端末３、データ配信装置９等との通信を制御する。
【００２６】
図４は、コンテンツサーバ５が有するコンテンツデータベース７の詳細を示す図である。
コンテンツデータベース７は、ポスター情報４１、会社情報４２、広告データ４３、クーポン情報４４、コンテンツデータ４５等を有する。
【００２７】
ポスター情報４１は、データ配信装置９が設置されるポスター等の無線通信機能付広告８に関する情報で、図５に示すように、無線通信機能付広告８を一意的に表すポスターＩＤ５１、ポスターが設置されている「××駅○○番ホーム」、「×××ビル前」というような設置場所５２、ポスターが設置されている場所の住所５３等を有する。
【００２８】
会社情報４２は、広告主である会社に関する情報で、図６に示すように、会社を一意的に表す会社ＩＤ６１、会社名６２、会社のメールアドレス６３、会社のＵＲＬ６４等を有する。
広告データ４３は、広告主が配信する広告に関するデータである。
【００２９】
クーポン情報４４は、広告主がデータ配信装置９を通して携帯電話１１、無線通信機能付端末１２に配信するクーポンに関する情報で、クーポンを発行した会社を一意的に表す会社ＩＤ６１、クーポンを一意的に表すクーポンＩＤ７１、クーポンを携帯電話１１に配信するデータ配信装置９が設置される無線通信機能付広告８を一意的に表すポスターＩＤ５１、クーポン名７２、クーポン使用期間７３、クーポンを使用する店舗情報７４、クーポン配信期間７５等を有する。
【００３０】
コンテンツデータ４５は、データ配信装置９を通して携帯電話１１、無線通信機能付端末１２に配信する画像、映像、音楽、雑誌の１ページ等のコンテンツである。
【００３１】
次に、図８、９を参照しながら、データ配信装置９について説明する。図８は、データ配信装置９のハードウエア構成の一例を示す図、図９は、記憶装置８２の詳細を示す図である。データ配信装置９は、バス８６により相互接続された制御部８１、記憶装置８２、入力部８３、表示部８４、通信部８５等を有する。
【００３２】
制御部８１は、プログラムの実行を行うＣＰＵと、プログラム命令あるいはデータ等を格納するためのＲＯＭ、ＲＡＭ等のメモリから構成される。制御部８１は、データ配信装置９全体の動作を制御する。
【００３３】
記憶装置８２は、制御プログラム等の固定データ、携帯電話１１、無線通信機能付端末１２に配信するクーポン情報、コンテンツ等のデータを格納するための記憶媒体である。
図９に示すように、記憶装置８２は、ＯＳ（Operating
System）９１、携帯電話１１及び無線通信機能付端末１２と通信するための専用アプリ９２、携帯電話１１及び無線通信機能付端末１２に配信する広告データ９３、クーポン情報９４、コンテンツデータ９５等を有する。
【００３４】
入力部８３は、データを入力するための入力装置である。
表示部８４は、ＬＣＤ等の表示装置である。
通信部８５は、通信制御装置、通信ポート等であり、ネットワーク１９を介したコンテンツサーバ５との通信や、無線通信を介した携帯電話１１、無線通信機能付端末１２との通信を制御する。
【００３５】
次に、図１０を参照しながら、携帯電話１１について説明する。図１０は、携帯電話１１のハードウエア構成の一例を示す図である。
【００３６】
携帯電話１１は、無線通信機能を有するもので、バス１０８により相互接続された制御部１０１、無線通信部１０２、表示部１０３、入力部１０４、通信処理部１０５、メモリ１０６を有する。
【００３７】
制御部１０１は、プログラムの実行を行うＣＰＵと、ＯＳ、プログラム命令あるいはデータ等を格納するためのＲＯＭ、一時的な作業用データを格納するためのＲＡＭ等のメモリから構成される。制御部１０１は、携帯電話１１全体を制御する。
【００３８】
無線通信部１０２はアンテナを有し、基地局（図示しない）との無線通信や、データ配信装置９との無線通信を制御する。無線通信部１０２は、制御部１０１の制御の下、音声に関するデータやパケット通信、無線通信用のデータ等の信号を生成し、アンテナを介して基地局と信号を送受信したり、データ配信装置９と信号を送受信し、受信した信号を復調して音声に関するデータやパケット通信、無線通信用のデータを取得したりする。
【００３９】
表示部１０３は液晶表示パネルを有し、液晶表示パネルへの表示制御を行う。
入力部１０４は、数字や文字、操作指示を入力するためのキーボタンを有し、キーボタンの操作に応じた信号を制御部１０１に出力する。
通話処理部１０５は、マイクロフォンやスピーカ、音声処理部等を有し、制御部１０１の制御により呼接続、切断処理を含む通話処理を行う。
メモリ１０６は、携帯電話機１１にインストールされているアプリケーションプログラムや、電話番号及びメールアドレス等のアドレス帳データ等が格納されている。
【００４０】
図１１に示すように、無線通信機能付端末１２はバス１２８により相互接続された制御部１２１、記憶装置１２２、メディア入出力部１２３、入力部１２４、印刷部１２５、表示部１２６、通信部１２７等を有する。
【００４１】
制御部１２１は、プログラムの実行を行うＣＰＵと、プログラム命令あるいはデータ等を格納するためのＲＯＭ、ＲＡＭ等のメモリから構成される。制御部１２１は、無線通信機能付端末１２全体の動作を制御する。
【００４２】
記憶装置１２２は、無線通信機能付端末１２の制御プログラム等の固定データ、各種データ等を格納するための記憶媒体である。
メディア入出力部１２３は、ＣＤ−ＲＯＭあるいはＣＤ−ＲＷ、フレキシブルディスク、ＭＯ等の媒体のドライブで、媒体からのデータの読み出しや、媒体へのデータの書き込みを行う。
【００４３】
入力部１２４は、キーボード、マウス等の入力装置である。
印刷部１２５はプリンタで、ユーザからの要求により必要な情報等の印刷を行う。
表示部１２６は、ＣＲＴあるいはＬＣＤ等の表示装置である。
【００４４】
通信部１２７は、通信制御装置、通信ポート等であり、無線通信を介したデータ配信装置９等との通信や、ネットワーク１９を介した通信等を制御する。
【００４５】
次に、図１２、１３、１４、１５を参照しながら、携帯電話１１及び無線通信機能付端末１２への広告データ、クーポン情報、コンテンツの配信について説明する。図１２は、広告主端末３からコンテンツサーバ５に広告データ、クーポン情報、コンテンツを登録する動作のフローチャート、図１３は、データ配信装置９から携帯電話１１、無線通信機能付端末１２に広告データ、クーポン情報、コンテンツを配信する動作のフローチャート、図１４は、携帯電話１１上での接続確認の画面の一例を示す図、図１５は、携帯電話１１上での広告データ一覧の画面の一例を示す図である。
【００４６】
図１２に示すように、広告主端末３の制御部２１は、携帯電話１１、無線通信機能付端末１２等の携帯用端末に配信する広告データ、クーポン情報、コンテンツを、ネットワーク１９を介してコンテンツサーバ５に送る（ステップ２０１）。
【００４７】
コンテンツサーバ５は、広告主端末３からの広告データ、クーポン情報、コンテンツを受信し、コンテンツデータベース７の広告データ４３、クーポン情報４４、コンテンツデータ４５として登録する（ステップ２０２）。そして、ネットワーク１９を介してデータ配信装置９に、広告データ４３、クーポン情報４４、コンテンツ４５を送る（ステップ２０３）。
【００４８】
データ配信装置９の制御部８１は、コンテンツサーバ５からの広告データ４３、クーポン情報４４、コンテンツデータ４５を受信し、記憶装置８２に広告データ９３、クーポン情報９４、コンテンツデータ９５として保存する（ステップ２０４）。
【００４９】
データ配信装置９から携帯電話１１に広告データ、クーポン情報、コンテンツを配信する動作では、図１３に示すように、データ配信装置９の制御部８１は、専用アプリ９２からの指示により、無線ＬＡＮで携帯電話１１、無線機能付端末１２に対して接続要求を出す（ステップ３０１）。
【００５０】
ユーザが携帯電話１１で「無線通信機能付広告を探す」というメニューを選択すると、携帯電話１１の制御部１０１は無線通信機能付広告８を探す（ステップ３０２）。無線通信機能付広告８を検知すると、携帯電話１１の制御部１０１は図１４に示す接続確認の画面を表示部１０３に表示し、ユーザに対して接続するかどうかを問い合わせる（ステップ３０３）。
【００５１】
ユーザが、携帯電話１１の表示部１０３に表示された接続確認の画面でＯＫ１５１を選択すると、携帯電話１１の制御部１０１は無線ＬＡＮを介してデータ配信装置９に接続する（ステップ３０４）。データ配信装置９の制御部８１は、携帯電話１１に無線ＬＡＮを介して広告一覧に関する情報を送る（ステップ３０５）。
【００５２】
携帯電話１１の制御部１０１は、図１５に示す広告一覧の画面を表示部１０３に表示する（ステップ３０６）。ユーザが、表示部１０３に表示された広告一覧の中から広告を選択すると、携帯電話１１の制御部１０１は選択された広告をデータ配信装置９に通知する（ステップ３０７）。
【００５３】
データ配信装置９の制御部８１は、無線ＬＡＮを介して指定された広告の広告データ、クーポン情報あるいはコンテンツを携帯電話１１に送る（ステップ３０８）。携帯電話１１の制御部１０１は、受信した広告データ、クーポン情報、コンテンツをメモリ１０６に保存する（ステップ３０９）。
【００５４】
このように本実施によれば、無線機能付広告を用いて、通信費をかけることなく広告データ、クーポン情報、コンテンツ等を無線機能付携帯電話で取得することが可能となる。取得した広告データを閲覧することにより、広告されている媒体を購入したり、クーポンを使用するために店舗へ行くというようにユーザの購買意欲を高め、また、販売促進の拡大を効率的に行うことができる。
【００５５】
以上、添付図面を参照しながら本発明に係る無線通信広告システムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００５６】
【図１】無線通信広告システム１の構成を示すブロック図
【図２】広告主端末３のハードウエア構成の一例を示す図
【図３】コンテンツサーバ５のハードウエア構成の一例を示す図
【図４】コンテンツサーバ５が有するコンテンツデータベース７の詳細を示す図
【図５】ポスター情報４１の一例を示す図
【図６】会社情報４２の一例を示す図
【図７】クーポン情報４４の一例を示す図
【図８】データ配信装置９のハードウエア構成の一例を示す図
【図９】記憶装置８２の詳細を示す図
【図１０】携帯電話１１のハードウエア構成の一例を示す図
【図１１】無線通信機能付端末１２のハードウエア構成の一例を示す図
【図１２】広告主端末３からコンテンツサーバ５に広告データ、クーポン情報、コンテンツを登録する動作のフローチャート
【図１３】データ配信装置９から携帯電話１１、無線通信機能付端末１２に広告データ、クーポン情報、コンテンツを配信する動作のフローチャート
【図１４】携帯電話１１上での接続確認の画面の一例を示す図
【図１５】携帯電話１１上での広告データ一覧の画面の一例を示す図
【符号の説明】
【００５７】
１………無線通信広告システム
３………広告主端末
５………コンテンツサーバ
７………コンテンツデータベース
９………データ配信システム
１１………携帯電話
１２………無線通信機能付端末
１９………ネットワーク
【図１】
2007274276.tif 000003
【図２】
2007274276.tif 000004
【図３】
2007274276.tif 000005
【図４】
2007274276.tif 000006
【図５】
2007274276.tif 000007
【図６】
2007274276.tif 000008
【図７】
2007274276.tif 000009
【図８】
2007274276.tif 000010
【図９】
2007274276.tif 000011
【図１０】
2007274276.tif 000012
【図１１】
2007274276.tif 000013
【図１２】
2007274276.tif 000014
【図１３】
2007274276.tif 000015
【図１４】
2007274276.tif 000016
【図１５】
2007274276.tif 000017